(57)【要約】【課題】ページデータの面付けを行うにあたり、最新の改訂番号に対応するページデータが配置されるか否かを確認することができる確認処理装置等を提供する。【解決手段】、端末装置から、面付け処理の対象となるページデータの改訂番号を示す改訂番号情報を取得し、当該取得した改訂番号情報と、ページデータ毎に改訂番号を示す改訂番号情報を記憶する記憶手段に記憶された改訂番号情報を比較して、一致しない場合に、改訂番号が一致しないことを示す警告情報を出力する。【選択図】図６
2014174743.tif 000002
【特許請求の範囲】
【請求項１】
面付け処理の対象となるページデータの改訂番号を示す改訂番号情報に関する確認を行う確認処理装置であって、
前記ページデータ毎に改訂番号を示す改訂番号情報を記憶する記憶手段と、
端末装置から、前記面付け処理の対象となるページデータの改訂番号を示す改訂番号情報を取得する取得手段と、
前記取得手段により取得された改訂番号情報と、前記記憶手段に記憶されている改訂番号情報を比較して、一致しない場合に、改訂番号が一致しないことを示す警告情報を出力する出力手段と、
を備えることを特徴とする確認処理装置。
【請求項２】
請求項１に記載の確認処理装置であって、
前記記憶手段が記憶する改訂番号情報は、面付け処理の対象となるページデータが改訂される度に更新されることを特徴とする確認処理装置。
【請求項３】
請求項１又は２に記載の確認処理装置であって、
前記記憶手段は、前記ページデータ毎にページ番号を示すページ番号情報を更に記憶し、
前記取得手段は、前記面付け処理の対象となるページデータのページ番号を示すページ番号情報を更に取得し、
前記出力手段は、前記取得手段により取得されたページ番号情報と、前記記憶手段に記憶されているページ番号情報を比較して、一致しない場合に、ページ番号が一致しないことを示す警告情報を更に出力することを特徴とする確認処理装置。
【請求項４】
請求項１乃至３のいずれか一項に記載の確認処理装置であって、
前記出力手段は、前記警告情報を表示する警告画面を表示させるための表示データを前記端末装置に対して出力することを特徴とする確認処理装置。
【請求項５】
面付け処理の対象となるページデータの改訂番号を示す改訂番号情報に関する確認を行う確認処理装置による確認方法であって、
端末装置から、前記面付け処理の対象となるページデータの改訂番号を示す改訂番号情報を取得する取得工程と、
前記取得手段により取得された改訂番号情報と、前記ページデータ毎に改訂番号を示す改訂番号情報を記憶する記憶手段に記憶された改訂番号情報を比較して、一致しない場合に、改訂番号が一致しないことを示す警告情報を出力する出力工程と、
を含むことを特徴とする確認方法。
【請求項６】
面付け処理の対象となるページデータの改訂番号を示す改訂番号情報に関する確認を行う確認処理装置に含まれるコンピュータを、
端末装置から、前記面付け処理の対象となるページデータの改訂番号を示す改訂番号情報を取得する取得手段、
前記取得手段により取得された改訂番号情報と、前記ページデータ毎に改訂番号を示す改訂番号情報を記憶する記憶手段に記憶された改訂番号情報を比較して、一致しない場合に、改訂番号が一致しないことを示す警告情報を出力する出力する出力手段、
として機能させることを特徴とする確認処理用プログラム。
【発明の詳細な説明】
【技術分野】
【０００１】
本発明は、印刷物における面付け処理の技術分野に関する。
【背景技術】
【０００２】
従来、ページデータの面付け（用紙に対してページデータを配置すること）を行う際には、台割表（どのページにどのページデータを配置するかを示した表）を元にページデータを配置している。そのため、台割表が変更される度に、折丁の順番と折丁単位でのページ順との整合性に誤りがないかを作業者が確認している。
【０００３】
また、書籍制作の過程において、内容の見直し等によりページデータの改訂が頻繁に行われる。そのため、ページデータの面付け作業を行う際には、最新の改訂版のページデータ（すなわち、校了済みのページデータ）が配置されているかを作業者が確認している。
【０００４】
これらの検査は作業者の目視によるため、検査ミスによる品質低下の問題があり、また、作業効率の観点からも好ましいものではなかった。
【０００５】
特許文献１には、ページデータのノンブル情報からページ番号情報を抽出し、選択されたページ面付けテンプレートとページデータのページ番号を対応付けることで台割表を用いずにページ面付けファイルを生成する技術が開示されている。当該技術によれば、台割作成工程を必要とせずにページ面付けを実現する仕組みを提供することができる。
【先行技術文献】
【特許文献】
【０００６】
【特許文献１】特開２０１１−１３８３７８号公報
【発明の概要】
【発明が解決しようとする課題】
【０００７】
しかしながら、特許文献１に記載の技術では、ページデータを正しいページ順に配置することはできるが、最新の改訂版のページデータが配置されるか否かを確認することができないという問題がある。
【０００８】
本発明は、このような問題等に鑑みてなされたもので、ページデータの面付けを行うにあたり、最新の改訂番号に対応するページデータが配置されるか否かを確認することができる確認処理装置等を提供することを課題とする。
【課題を解決するための手段】
【０００９】
上記課題を解決するために、請求項１に記載の発明は、面付け処理の対象となるページデータの改訂番号を示す改訂番号情報に関する確認を行う確認処理装置であって、前記ページデータ毎に改訂番号を示す改訂番号情報を記憶する記憶手段と、端末装置から、前記面付け処理の対象となるページデータの改訂番号を示す改訂番号情報を取得する取得手段と、前記取得手段により取得された改訂番号情報と、前記記憶手段に記憶されている改訂番号情報を比較して、一致しない場合に、改訂番号が一致しないことを示す警告情報を出力する出力手段と、を備えることを特徴とする。
【００１０】
請求項２に記載の発明は、請求項１に記載の確認処理装置であって、前記記憶手段が記憶する改訂番号情報は、面付け処理の対象となるページデータが改訂される度に更新されることを特徴とする。
【００１１】
請求項３に記載の発明は、請求項１又は２に記載の確認処理装置であって、前記記憶手段は、前記ページデータ毎にページ番号を示すページ番号情報を更に記憶し、前記取得手段は、前記面付け処理の対象となるページデータのページ番号を示すページ番号情報を更に取得し、前記出力手段は、前記取得手段により取得されたページ番号情報と、前記記憶手段に記憶されているページ番号情報を比較して、一致しない場合に、ページ番号が一致しないことを示す警告情報を更に出力することを特徴とする。
【００１２】
請求項４に記載の発明は、請求項１乃至３のいずれか一項に記載の確認処理装置であって、前記出力手段は、前記警告情報を表示する警告画面を表示させるための表示データを前記端末装置に対して出力することを特徴とする。
【００１３】
請求項５に記載の発明は、面付け処理の対象となるページデータの改訂番号を示す改訂番号情報に関する確認を行う確認処理装置による確認方法であって、端末装置から、前記面付け処理の対象となるページデータの改訂番号を示す改訂番号情報を取得する取得工程と、前記取得手段により取得された改訂番号情報と、前記ページデータ毎に改訂番号を示す改訂番号情報を記憶する記憶手段に記憶された改訂番号情報を比較して、一致しない場合に、改訂番号が一致しないことを示す警告情報を出力する出力工程と、を含むことを特徴とする。
【００１４】
請求項６に記載の発明は、面付け処理の対象となるページデータの改訂番号を示す改訂番号情報に関する確認を行う確認処理装置に含まれるコンピュータを、端末装置から、前記面付け処理の対象となるページデータの改訂番号を示す改訂番号情報を取得する取得手段、前記取得手段により取得された改訂番号情報と、前記ページデータ毎に改訂番号を示す改訂番号情報を記憶する記憶手段に記憶された改訂番号情報を比較して、一致しない場合に、改訂番号が一致しないことを示す警告情報を出力する出力する出力手段、として機能させることを特徴とする。
【発明の効果】
【００１５】
本発明によれば、面付け処理の対象となるページデータの最新の改訂番号を示す改訂番号情報と、予め記憶手段に記憶されている改訂番号情報が比較され、一致しない場合に警告情報が出力されることから、ページデータの面付けを行うにあたり、最新の改訂番号に対応するページデータが配置されるか否かを確認することができる。
【図面の簡単な説明】
【００１６】
【図１】面付けシステムＳの構成例を示すブロック図である。
【図２】面付け装置１の構成例を示すブロック図である。
【図３】レイアウトＤＢ４０の内容の一例を示す図である。
【図４】台割ＤＢ５０の内容の一例を示す図である。
【図５】プロパティＤＢ６０の内容の一例を示す図である。
【図６】面付け装置１の制御部１１による面付け処理の一例を示すフローチャートである。
【図７】作業端末２から取得されるプロパティ情報３０の内容の一例を図である。
【図８】警告画面１００の画面例を示す図である。
【発明を実施するための形態】
【００１７】
以下、図面を用いて本発明の実施形態について説明する。なお、本実施形態は、面付けシステムＳにおける面付け装置１について本発明を適用した場合の実施形態である。
【００１８】
［１．面付けシステムＳの構成］
図１に示すように、面付けシステムＳは、面付け装置１（「確認処理装置」の一例）と、作業者が使用する作業端末２とを含んで構成され、それぞれがネットワークＮＷを介して接続されている。
【００１９】
面付け装置１には、作業端末２に記憶されているページデータＤの配置に関するレイアウト仕様情報を保持するレイアウトＤＢ４０、台割表に関する台割情報を保持する台割ＤＢ５０、及びページデータＤに関するプロパティ情報を保持するプロパティＤＢ６０が構築されている。プロパティ情報は、ページデータＤが面付け処理される際のページ番号を示すページ番号情報６２と、ページデータＤの改訂番号を示すリビジョン情報６３を含む。プロパティＤＢ６０では、ページデータＤ毎にプロパティ情報を保持している。レイアウトＤＢ４０、台割ＤＢ５０及びプロパティＤＢ６０の保持する情報は、例えば、作業端末２を介して作業者により編集される。
【００２０】
面付け装置１は、レイアウト仕様情報及び台割情報に基づいてページデータＤの面付け処理を行い、面付けテンプレートを作成する。また、面付け装置１は面付け処理を行う前に、作業端末２から受信したプロパティ情報３０と、プロパティＤＢ６０に保持されているプロパティ情報を比較する。具体的には、プロパティ情報３０に含まれるページ番号情報３１及びリビジョン情報３２と、プロパティＤＢ６０に保持されているプロパティ情報に含まれるページ番号情報６２及びリビジョン情報６３を比較する。そして、面付け装置１は、ページ番号情報及びリビジョン情報をそれぞれ比較した結果、一致しないページデータＤがあった場合には警告画面を表示して、面付け処理を行わない。なお、プロパティ情報を比較する際には、ページデータＤを識別可能な情報（本実施形態では、ページデータＩＤ）に基づいて、同じページデータＤのプロパティ情報同士を比較する。
【００２１】
作業端末２は、作業者の操作に基づいて面付け装置１にアクセスする。作業者は作業端末２の表示部に表示される編集画面を確認しながら、面付け装置１に記憶されているレイアウト仕様情報、台割情報、プロパティ情報を編集する。このとき、作業端末２は、面付け装置１から編集画面を表示するためのデータを受信して、当該データに基づいて編集画面を表示する。
【００２２】
作業端末２は、ページデータＤ及びそのプロパティ情報３０を記憶する。プロパティ情報３０は、ページデータＤと別個に管理する構成としてもよいし、ページデータＤに埋め込んで管理する構成としてもよい。また、作業端末２は、プロパティ情報３０に含まれるページ番号情報３１及びリビジョン情報３２をページデータＤのファイル名として管理する構成としてもよい。例えば、ファイル名の下一桁目が改訂番号を示し、下二桁目がページ番号を示すようにファイル名を作成する。当該構成とした場合、面付け装置１の制御部１１は、作業端末２から受信したページデータＤのファイル名から、ページ番号情報３１及びリビジョン情報３２を抽出し、ページ番号情報６２及びリビジョン情報６３を比較することとする。
【００２３】
［２．面付け装置１の構成］
次に、面付け装置１の構成について説明する。図２に示すように、面付け装置１は、制御部１１、記憶部１２、インターフェース部１３、表示部１４、及び操作部１５を備えている。
【００２４】
記憶部１２は、例えば、ＨＤＤ（Hard disk drive）等により構成されており、オペレーティングシステムや、アプリケーションプログラム等の各種プログラムを記憶する。特に、本実施形態の記憶部１２は、ページ番号情報及びリビジョン情報を面付け前にチェックする機能を備えた面付け用アプリケーションプログラム（面付けアプリ）を記憶する。なお、各種プログラムは、例えば、他のサーバ装置等からネットワークを介して取得されるようにしても良いし、記録媒体に記録されて外付けドライブ装置を介して読み込まれるようにしても良い。
【００２５】
また、記憶部１２には、レイアウトＤＢ４０、台割ＤＢ５０及びプロパティＤＢ６０が構築されている。ここで、図３−図５を用いて、レイアウトＤＢ４０、台割ＤＢ５０及びプロパティＤＢ６０の内容について説明する。
【００２６】
レイアウトＤＢ４０には、図３に示すように、レイアウト仕様情報として、品目ＩＤ情報４１、折番号情報４２、ページ番号情報４３、ページ向き情報４４、仕上り寸法Ｘ情報４５、仕上り寸法Ｙ情報４６、座標Ｘ情報４７、座標Ｙ情報４８が登録されている。具体的には、品目ＩＤ情報４１で識別される品目における折番号情報４２及びページ番号情報４３で特定されるページに関するページ向き情報４４、仕上り寸法Ｘ情報４５、仕上り寸法Ｙ情報４６、座標Ｘ情報４７、座標Ｙ情報４８が登録されている。
【００２７】
ページ向き情報４４は、用紙にページデータＤを配置する際の向きを示しており、「０°」、「９０°」、「１８０°」、「２７０°」のいずれかの角度を示す。ページ向き情報４４の示す角度が「０°」である場合が基準となり、ページ向き情報４４の示す角度が「１８０°」である場合にはページデータＤは用紙に対して逆さに配置される。また、ページ向き情報４４の示す角度が「９０°」又は「２７０°」である場合にはページデータＤは用紙に対して横向きに配置される。
【００２８】
仕上り寸法Ｘ情報４５と仕上り寸法Ｙ情報４６は、ページデータＤが用紙に配置され、断裁された際の横（Ｘ）と縦（Ｙ）の寸法を示している。座標Ｘ情報４７と座標Ｙ情報４８は、用紙にページデータＤを配置する際の位置（所定の向きに向けた用紙の左下隅を基準（原点）とした場合のＸ座標、Ｙ座標）を示している。ページデータＤを用紙に配置する際のページデータＤ側の位置合わせの基準は、ページデータＤをページ向き情報４４の示す向きに配置した場合における左下隅である。つまり、面付け処理においてページデータＤは、ページデータＤ側の位置合わせの基準が、用紙における座標Ｘ情報４７及び座標Ｙ情報４８により示される位置と一致するように配置される。
【００２９】
台割ＤＢ５０には、図４に示すように、台割情報として、品目情報５１、品目を識別するための品目ＩＤ情報５２、折番号情報５３、ページ番号情報５４、ページデータＩＤ情報５５が登録されている。具体的には、品目ＩＤ情報５２で識別される品目における折番号情報５３及びページ番号情報５４で特定されるページに配置されるページデータＤを識別するためのページデータＩＤ情報５５が登録されている。
【００３０】
つまり、レイアウト仕様情報及び台割情報から、品目ＩＤ情報４１（５２）、折番号情報４２（５３）で特定される面付けテンプレートに、いずれのページデータＤが用紙上のいずれのページ順でいずれの位置にいずれの向きで配置されるかを特定することができる。
【００３１】
プロパティＤＢ６０には、図５に示すように、プロパティ情報として、ページデータＩＤ情報６１、ページ番号情報６２、リビジョン情報６３が登録されている。具体的には、ページデータＩＤ情報６１で識別されるページデータＤが面付けされる際のページ番号を示すページ番号情報６２と、ページデータＤの最新の改訂番号を示すリビジョン情報６３が登録されている。なお、リビジョン情報６３は、ページデータＤが改訂される度に、例えば、作業端末２を介して作業者により更新される。また、ページ番号情報６２は、台割ＤＢ５０のページ番号情報５４と一致するように、ページ番号情報５４の変更に伴って更新される。
【００３２】
インターフェース部１３は他の装置（特に作業端末２）や機器との間で送受信されるデータの窓口の役割を果たす。
【００３３】
表示部１４は、例えば、液晶ディスプレイ等により構成されており、オペレータが面付け装置１を操作する際の操作画面等を表示する。また、操作部１５は、例えば、キーボードやマウス等により構成されており、オペレータの操作を受け付け、操作内容を示す操作信号を制御部１１に送信する。
【００３４】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成される。制御部１１は、操作部１５から受信した操作信号に基づいてオペレータの操作内容に応じた処理を実行したり、作業端末２から受信した操作信号に基づいて作業者の操作内容に応じた処理を実行したりする。
【００３５】
［３．作業端末２の構成］
次に、作業端末２の構成について説明する。作業端末２は、制御部、記憶部、インターフェース部、表示部及び操作部を備えている。
【００３６】
作業端末２の記憶部は、例えば、ＨＤＤ等により構成されており、オペレーティングシステムや、アプリケーションプログラム等の各種プログラムを記憶する。例えば、面付けアプリに対応する作業端末用プログラムを記憶する。なお、各種プログラムは、例えば、他のサーバ装置等からネットワークを介して取得されるようにしても良いし、記録媒体に記録されて外付けドライブ装置を介して読み込まれるようにしても良い。
【００３７】
作業端末２の記憶部は、作業者により編集されたページデータＤと、ページデータＤのプロパティ情報３０を記憶している。プロパティ情報３０はページデータＤ毎に記憶される。プロパティ情報３０を構成するページ番号情報（ノンブル情報）３１は、ページデータＤに対して作業者により指定されたページ番号を示す情報である。また、プロパティ情報３０を構成するリビジョン情報３２は、ページデータＤの最新の改訂番号を示す。つまり、リビジョン情報３２は、ページデータＤが改訂（更新）される度にインクリメントされる。
【００３８】
作業端末２のインターフェース部は他の装置（特に面付け装置１）や機器との間で送受信されるデータの窓口の役割を果たす。作業端末２の表示部は、例えば、液晶ディスプレイ等により構成されており、作業者が作業端末２を操作する際の操作画面、作業端末２を介して面付け装置１を操作する際の操作画面或いはレイアウト仕様情報、台割情報、プロパティ情報を編集する際の編集画面等を表示する。また、作業端末２の操作部は、例えば、キーボードやマウス等により構成されており、作業者の操作を受け付け、操作内容を示す操作信号を作業端末２の制御部に送信する。
【００３９】
作業端末２の制御部は、演算機能を有するＣＰＵ、ＲＯＭ、作業用のＲＡＭ、及び発振回路等を備えて構成される。作業端末２の制御部は、作業端末２の操作部から受信した操作信号に基づいて作業者の操作内容に応じた処理を実行する。
【００４０】
［４．面付け装置１による面付け処理］
次に、図６のフローチャートを用いて、面付け装置１による面付け処理について説明する。なお、面付け処理は、作業端末２を介して作業者により面付け処理を開始するための開始操作が検出された場合に開始される。作業者は開始操作を行う際に、面付け処理を行う品目と面付け処理の対象となるページデータＤを選択する。
【００４１】
まず、面付け装置１の制御部１１は、開始操作が行われた際に作業者により選択されたページデータＤと、当該ページデータＤに対応するプロパティ情報３０を作業端末２から取得する（ステップＳ１）。
【００４２】
次に、制御部１１は、ステップＳ１の処理で取得したページデータＤに対応するプロパティ情報をプロパティＤＢ６０から取得する（ステップＳ２）。具体的には、制御部１１は、台割ＤＢ５０を参照して、開始操作を行う際に作業者により選択された面付け処理を行う品目を示す品目ＩＤに対応するページデータＩＤを取得する。次いで、制御部１１は、プロパティＤＢ６０を参照して、当該取得したページデータＩＤに対応するプロパティ情報を取得する。
【００４３】
次に、制御部１１は、ステップＳ１の処理で取得したプロパティ情報３０に含まれるページ番号情報３１と、ステップＳ２の処理で取得したプロパティ情報に含まれるページ番号情報６２を、ステップＳ１の処理で取得したページデータＤ毎に比較する（ステップＳ３）。
【００４４】
次に、制御部１１は、ステップＳ１の処理で取得したプロパティ情報３０に含まれるリビジョン情報３２と、ステップＳ２の処理で取得したプロパティ情報に含まれるリビジョン情報６３を、ステップＳ１の処理で取得したページデータＤ毎に比較する（ステップＳ４）。
【００４５】
次に、制御部１１は、ステップＳ３の処理でページ番号情報が一致しないページデータＤがあったか否かを判定する（ステップＳ５）。このとき、制御部１１は、ページ番号情報が一致しないページデータＤがなかったと判定した場合には（ステップＳ５：ＮＯ）、ステップＳ７の処理に移行する。一方、制御部１１は、ページ番号情報が一致しないページデータＤがあったと判定した場合には（ステップＳ５：ＹＥＳ）、ページ番号情報が一致しなかったページデータＤ（エラーページデータＤ）のページデータＩＤを記憶部１２に記憶させ（ステップＳ６）、ステップＳ７の処理に移行する。なお、ステップＳ６の処理では、ページデータＩＤを、ページ番号情報が一致しなかったことを示すページ番号不一致情報とともに記憶部１２に記憶させる。ページ番号不一致情報は、後続のステップＳ１１の処理で、ページ番号が一致しないエラーがあったエラーページデータＤであるか否かを判定するために用いられる。
【００４６】
次に、制御部１１は、ステップＳ４の処理でリビジョン情報が一致しないページデータＤがあったか否かを判定する（ステップＳ７）。このとき、制御部１１は、リビジョン情報が一致しないページデータＤがなかったと判定した場合には（ステップＳ７：ＮＯ）、ステップＳ９の処理に移行する。一方、制御部１１は、リビジョン情報が一致しないページデータＤがあったと判定した場合には（ステップＳ７：ＹＥＳ）、リビジョン情報が一致しなかったページデータＤ（エラーページデータＤ）のページデータＩＤを記憶部１２に記憶させ（ステップＳ８）、ステップＳ９の処理に移行する。なお、ステップＳ８の処理では、ページデータＩＤを、リビジョン情報が一致しなかったことを示すリビジョン不一致情報とともに記憶部１２に記憶させる。リビジョン不一致情報は、後続のステップＳ１１の処理で、リビジョンが一致しないエラーがあったエラーページデータＤであるか否かを判定するために用いられる。
【００４７】
次に、制御部１１は、記憶部１２に、エラーページデータＤのページデータＩＤが記憶されているか否かを判定する（ステップＳ９）。このとき、制御部１１は、エラーページデータＤのページデータＩＤが記憶されていないと判定した場合には（ステップＳ９：ＮＯ）、面付け処理を実行して（ステップＳ１０）、当該フローチャートに示す処理を終了する。一方、制御部１１は、エラーページデータＤのページデータＩＤが記憶されていると判定した場合には（ステップＳ９：ＹＥＳ）、警告画面を作業用端末２の表示部に表示させる（ステップＳ１１）。具体的には、制御部１１は、ページ番号不一致情報及びリビジョン不一致情報に基づいて、ページ番号情報が一致しなかったページデータＤと、リビジョン情報が一致しなかったページデータＤを示す警告画面を表示させるための表示データを作成して、作業用端末２に送信する。作業端末２の制御部は、面付け装置１から受信した表示データに基づいて、警告画面を作業端末２の表示部に表示させる。
【００４８】
ここで、図５、図７及び図８を用いて警告画面の表示例について説明する。ここでは、プロパティＤＢ６０に図５に示したプロパティ情報が登録されている場合であって、ステップＳ１の処理において作業端末２から図７に示すプロパティ情報３０を取得したケースについて説明する。
【００４９】
図７に示したプロパティ情報３０に含まれるページ番号情報３１と、図５に示したページ番号情報６２を比較すると、ページデータＩＤ「genko_02-01」と「genko_02-04」で識別されるページデータＤについてページ番号情報が一致しない。つまり、５ページ目と８ページ目にページ番号に関するエラーが発生している。一方、図７に示したプロパティ情報３０に含まれるリビジョン情報３２と、図５に示したリビジョン情報６３を比較すると、ページデータＩＤ「genko_03-03」で識別されるページデータＤについてリビジョン情報が一致しない。つまり、１５ページ目にリビジョンに関するエラーが発生している。
【００５０】
図８は、警告画面１００の一例を示す図である。警告画面１００は、いずれのページでページ番号情報に関するエラーが発生し、いずれのページでリビジョン情報に関するエラーが発生しているかを作業者に提示する。そのために、警告画面１００には、ページ毎に、ページ番号情報に関して「○」又は「×」を表示するページエラー表示領域１０１と、リビジョン情報に関して「○」又は「×」を表示するリビジョンエラー表示領域１０２とが設けられている。なお、「○」はエラーが発生していないことを示し、「×」はエラーが発生していることを示す。
【００５１】
つまり、上記ケースでは、５ページ目と８ページ目にページ番号に関するエラーが発生していることから、５ページ目と８ページ目に対応するページエラー表示領域１０１に「×」が表示される。また、１５ページ目にリビジョンに関するエラーが発生していることから、１５ページ目に対応するリビジョンエラー表示領域１０２に「×」が表示される。
【００５２】
以上説明したように、本実施形態における面付け装置１は、面付け処理の対象となるページデータＤの改訂番号を示すリビジョン情報（「改訂番号情報」の一例）に関する確認を行う装置であって、記憶部１２（「記憶手段」の一例）が、ページデータＤ毎にリビジョン情報６３を記憶し、制御部１１（「取得手段」、「出力手段」の一例）が、作業端末２（「端末装置」の一例）から、面付け処理の対象となるページデータＤのリビジョン情報３２を取得し、当該取得したリビジョン情報と、記憶部１２に記憶されているリビジョン情報６３を比較して、一致しない場合に、リビジョン情報が一致しないことを示す警告画面１００（「警告情報」の一例）を出力する。
【００５３】
本実施形態の面付け装置１によれば、面付け処理の対象となるページデータＤのリビジョン情報３２と、予め記憶部１２に記憶されているリビジョン情報６３が比較され、一致しない場合に警告画面１００が出力されることから、ページデータＤの面付け処理を行うにあたり、最新のリビジョンに対応するページデータＤが配置されるか否かを確認することができる。
【００５４】
また、記憶部１２が記憶するリビジョン情報６３は、面付け処理の対象となるページデータＤが改訂される度に作業者により更新される。このため、面付け処理を行うにあたって、作業端末２において最新の改訂版のページデータＤが選択されず、面付け装置１がステップＳ１の処理において古い版のページデータＤを取得した場合であっても、警告画面１００が表示されることから、古い版のページデータＤを面付けしてしまうことを防ぐことができる。
【００５５】
更に、記憶部１２は、ページデータＤ毎にページ番号を示すページ番号情報６２を更に記憶し、制御部１１は、面付け処理の対象となるページデータＤのページ番号を示すページ番号情報３１を更に取得し、当該取得したページ番号情報３１と、記憶部１２に記憶されているページ番号情報６２を比較して、一致しない場合に、ページ番号が一致しないことを示す警告画面１００を出力する。これにより、ページデータＤを誤った位置に面付けすることを防止することができる。
【００５６】
なお、本実施形態では、面付け処理（図６のステップＳ１０）を実行する前に、ページ番号の確認（図６のステップＳ４）とリビジョンの確認（図６のステップＳ５）を行うこととしたが、これに代えて又はこれに加えて、ページデータＤに関する他の情報を確認することとしてもよい。例えば、図６のステップＳ１の処理で制御部１１が作業端末２から、作業者により選択されたページデータＤに対応する品目ＩＤを取得し、台割ＤＢ５０の品目ＩＤ５２と比較する。そして、制御部１１は、比較の結果、一致しないページデータＤがあった場合にはそのページデータＤを示す警告画面を出力する。これにより、面付け処理の対象となる品目とは異なる品目のページデータＤを誤って面付けしてしまうことを防ぐことができる。なお、品目ＩＤ以外のページデータＤに関する項目について制御部１１が確認することとしてもよい。その際には、確認対象の項目を記憶部１２に記憶させるとともに、作業端末２から面付け処理を行うページデータＤに対応する当該確認項目を取得して、両者を比較することとする。
【符号の説明】
【００５７】
Ｓ  面付けシステム
１  面付け装置
１１  制御部
１２  記憶部
１３  インターフェース部
１４  表示部
１５  操作部
２  作業端末
３０  プロパティ情報
４０  レイアウトＤＢ
５０  台割ＤＢ
６０  プロパティＤＢ
１００  警告画面
Ｄ  ページデータ
【図１】
2014174743.tif 000003
【図２】
2014174743.tif 000004
【図３】
2014174743.tif 000005
【図４】
2014174743.tif 000006
【図５】
2014174743.tif 000007
【図６】
2014174743.tif 000008
【図７】
2014174743.tif 000009
【図８】
2014174743.tif 000010